(57)【要約】【課題】遊技機のフロントドアーに設置された液晶ディスプレイが、フロントドアーの開閉によって容易に破損しないような液晶ディスプレイの取り付け構造を提供する。【解決手段】ドアー３の構成品となる枠体３１は、液晶ユニット５１をはめ込むための凹部３１Ａが形成されており、第１緩衝部材５４は液晶ユニット５１と枠体３１内壁との間に配置されている。透明部材５３は、透明部材５３の角に第２緩衝部材５５を被覆した状態で、液晶ユニット５１の前面に配置する。カバー５２が枠体３１にねじ３３で固定されることにより、枠体３１とカバー５２とで、液晶ユニット５１と透明部材５３を弾性支持することができる。【選択図】      図３
2004223170.tif 000002
【特許請求の範囲】
【請求項１】
液晶ユニットと、
前記液晶ユニットを保持している枠体と、
前記液晶ユニット及び前記枠体に接触している第１緩衝部材と、
を備えているドアーを有していることを特徴とする遊技機。
【請求項２】
前記第１緩衝部材は、前記液晶ユニットと前記枠体との間に配置されていることを特徴とする請求項１に記載の遊技機。
【請求項３】
前記ドアーは、前記液晶ユニットの前面に配置されている透明部材を更に有していることを特徴とする請求項１又は２に記載の遊技機。
【請求項４】
前記透明部材はガラス板又はタッチパネルであることを特徴とする請求項３に記載の遊技機。
【請求項５】
中央に開口部が形成されているカバーが前記枠体に固定されていることを特徴とする請求項１から４の何れかに記載の遊技機。
【請求項６】
前記枠体の中央には、液晶ユニットをはめ込むための凹部が形成されていることを特徴とする請求項１から５の何れかに記載の遊技機。
【請求項７】
前記第１緩衝部材が複数個設けられていることを特徴とする請求項１から６の何れかに記載の遊技機。
【請求項８】
前記液晶ユニットの側面には、窪みが形成されており、前記第１緩衝部材には、前記窪みに対応する形状の突起部が形成されていることを特徴とする請求項７に記載の遊技機。
【請求項９】
前記透明部材は、少なくとも一つの角を有していて、第２緩衝部材が前記透明部材の前記角を被覆していることを特徴とする請求項２から８の何れかに記載の遊技機。
【発明の詳細な説明】
【０００１】
【発明の属する技術分野】
本発明は、液晶ユニットを備える遊技機に関するものである。
【０００２】
【従来の技術】
近年、パチンコ、スロット遊技機等の遊技機が流行しており、各遊技機メーカにより様々な形の遊技機が開発されている。
【０００３】
このような遊技機には、その筐体に表示部が備えられており、この表示部に遊技の内容を示す画像や、演出を行うための画像等、様々な画像が表示される。このように、遊技機の表示部は、遊技機には必要不可欠のものとなっている。
【０００４】
表示部には、ブラウン管を使用したＣＲＴ（Ｃａｔｈｏｄｅ  Ｒａｙ  Ｔｕｂｅ）ディスプレイや、ＳＴＮ（Ｓｕｐｅｒ−Ｔｗｉｓｔｅｄ  Ｔｒａｎｓｉｓｔｏｒ）方式、ＴＦＴ（Ｔｈｉｎ  Ｆｉｌｍ  Ｔｒａｎｓｉｓｔｏｒ）方式等の各種の液晶ディスプレイが用いられている。前述のディスプレイは、遊技機における筐体の内側に凸形状に取り付けられるので、遊技機内の部品実装空間を確保するためにも薄型の液晶ディスプレイが主流となっている（例えば、特許文献１参照）。
【０００５】
また、図５はスロット遊技機における従来の表示部の要部断面図である。
【０００６】
図５を用いてスロット遊技機における従来の表示部８０の詳細について説明する。
【０００７】
フロントドアーには、表示部８０が備えられており、各種の演出画像が表示される。
【０００８】
この表示部８０は、遊技者により触接された座標位置を検出するタッチパネル８１、及び保護カバーである透明アクリル板８２の内面側に、透明フィルム材に種々の絵柄が印刷された絵柄シート８３と、ＩＴＯなどの透明液晶表示装置から構成される液晶表示装置８４と、が枠体８Ａに積層されている。
【０００９】
また、この液晶表示装置８４の上方及び下方には、液晶表示装置８４のバックライトとしての照明装置の役割を果たす液晶バックライト８４Ａが設けられている。また、この液晶バックライト８４Ａは、電源供給時においては、点灯するように制御されている。このため、液晶バックライト８４Ａを常時電源供給時において常時駆動させることにより、液晶表示装置８４に表示される画像を遊技者に対して明瞭に視認可能とさせる。この液晶バックライト８４Ａは、主として冷陰極管が採用されている。
【００１０】
更には、表示部８０の内面側上部、及び下部には、リール９１上の図柄を照らし出す照明装置の役割を果たす図柄照明用ランプ８５が設けられている。また、この図柄照明用ランプ８５は、電源供給時においては、点灯するように制御されている。このため、図柄照明用ランプ８５を常時駆動させることにより、図柄を明瞭に視認させることが可能である。
【００１１】
個々の表示要素の作用としては、絵柄シート８３に描かれる図柄は、スロット遊技機の演出制御状態に左右されず、常に遊技者に視認される。液晶表示装置８４は、大当たり演出や、各種予告演出などの画像演出の表示領域である。
【００１２】
また、リール９１の前面近傍には、リールバックランプを装着したランプハウジング９２が備えられている。
【００１３】
さらに、近年では液晶ディスプレイの大型品が量産可能になってきており、この大型液晶ディスプレイによって、遊技のスコアや演出を補助的に表示するのみならず、機械式のリールによる図柄表示に代えて、遊技の中心となる図柄の組み合わせを表示できるようになってきている。
【００１４】
【特許文献１】
特開２００２−２７２９０３号公報（図１参照）
【００１５】
【発明が解決しようとする課題】
このような表示部は、遊技機の中でも、遊技者が最も見やすい位置に配置されるものであり、例えば一般のスロットマシンであれば、遊技者にもっとも近いフロントドアーに表示部が設置される場合が多い。
【００１６】
しかしながら、液晶ディスプレイはガラス等の薄板に電極や液晶膜を挟んだものであり、捩れや歪みの力に弱く、このような力が加わると容易に壊れやすいものである。
【００１７】
図５において示された液晶表示装置８４は表示面積の割合に比べて厚みがないので、液晶表示装置８４に加わる捩れや歪みの力は特に考慮する必要がある。
【００１８】
この一方で、遊技機のフロントドアーは、ヒンジ機構で本体筐体に取り付けられる枠体に、表示部やその制御部そして遊技機の操作部やパネルといったものが設置される平板的な構造を持つものであり、フロントドアーが開けられた状態では、フロントドアー自体の重量や外部からの力によってその形状が、捩れたり、歪んだりし易い。
【００１９】
しかも、フロントドアーは、遊技機の動作を設定したり、内部にたまったメダルを取り出したりといった通常の保守のため頻繁に開閉されるものであり、相当の重量を有するフロントドアーが開閉されるときの衝撃力は、遊技機の筐体のみならずフロントドアー自身にも伝わる。そして、フロントドアーに設置された表示部が液晶ディスプレイであった場合には、容易に破損してしまうという問題があった。
【００２０】
図５に示された液晶表示装置８４は、その表示面は例えば、２０インチであり、このような大型表示面積になるほど衝撃力に考慮する必要があり、その対策は最大表示面積の液晶ディスプレイを視野にいれたものでなくてはいけない。
【００２１】
本発明は、かかる問題に鑑みてなされたものであり、遊技機のフロントドアーに設置された液晶ディスプレイが、フロントドアーの開閉によって容易に破損しないような液晶ディスプレイの取り付け構造を提供することを目的とする。
【００２２】
【課題を解決するための手段】
本発明は、より具体的には以下のようなものを提供する。
【００２３】
（１）  液晶ユニットと、前記液晶ユニットを保持している枠体と、前記液晶ユニット及び前記枠体に接触している第１緩衝部材と、を備えているドアーを有していることを特徴とする遊技機。
【００２４】
（１）の発明によれば、「液晶ユニットと、前記液晶ユニットを保持している枠体と、前記液晶ユニット及び前記枠体に接触している第１緩衝部材と、を備えているドアーを有している」ので、ドアーを開閉するときの衝撃力によるエネルギーを第１緩衝部材で吸収して液晶ユニットに伝わるのを緩和できる。そして、液晶ユニットの破損を防止する。
【００２５】
（２）  前記第１緩衝部材は、前記液晶ユニットと前記枠体との間に配置されていることを特徴とする（１）に記載の遊技機。
【００２６】
（２）の発明によれば、「前記第１緩衝部材は、前記液晶ユニットと前記枠体との間に配置されている」ので、衝撃や振動が枠体から液晶ユニットに直接伝達することを第１緩衝部材で緩和できる。さらに、液晶ユニット又は枠体の製作誤差に対して第１緩衝部材で前記誤差を吸収して組み立てることができる。
【００２７】
（３）  前記ドアーは、前記液晶ユニットの前面に配置されている透明部材を更に有していることを特徴とする（１）又は（２）に記載の遊技機。
【００２８】
（３）の発明によれば、「前記ドアーは、前記液晶ユニットの前面に配置されている透明部材を更に有している」ので、液晶ユニットに物品が直接接触することを防止できる。そして、透明部材なので、液晶ユニットの表示を妨げることがない。
【００２９】
（４）  前記透明部材はガラス板又はタッチパネルであることを特徴とする（３）に記載の遊技機。
【００３０】
（４）の発明によれば、「前記透明部材はガラス板又はタッチパネルである」ので、ガラス板の場合は安価に部材が入手できる。タッチパネルの場合はスイッチの機能を付加することができる。
【００３１】
（５）  中央に開口部が形成されているカバーが前記枠体に固定されていることを特徴とする（１）から（４）の何れかに記載の遊技機。
【００３２】
（５）の発明によれば、「中央に開口部が形成されているカバーが前記枠体に固定されている」ので、枠体にカバーを直接固定することにより部品点数を少なくすることができる。
【００３３】
（６）  前記枠体の中央には、液晶ユニットをはめ込むための凹部が形成されていることを特徴とする（１）から（５）の何れかに記載の遊技機。
【００３４】
（６）の発明によれば、「前記枠体の中央には、液晶ユニットをはめ込むための凹部が形成されている」ので、組み立て容易となり部品点数も少なくできる。
【００３５】
（７）  前記第１緩衝部材が複数個設けられていることを特徴とする（１）から（６）の何れかに記載の遊技機。
【００３６】
（７）の発明によれば、「前記第１緩衝部材が複数個設けられている」ので、液晶ユニットの大きさや重量に対応して第１緩衝部材を適正配置できる。
【００３７】
（８）  前記液晶ユニットの側面には、窪みが形成されており、前記第１緩衝部材には、前記窪みに対応する形状の突起部が形成されていることを特徴とする（７）に記載の遊技機。
【００３８】
（８）の発明によれば、「前記液晶ユニットの側面には、窪みが形成されており、前記第１緩衝部材には、前記窪みに対応する形状の突起部が形成されている」ので、窪みに突起部を挿入するだけで液晶ユニットと第１緩衝部材を簡単に組み立てることできる。例えば、ねじ止めなどのように工具を必要としない。
【００３９】
（９）  前記透明部材は、少なくとも一つの角を有していて、第２緩衝部材が前記透明部材の前記角を被覆していることを特徴とする（２）から（８）の何れかに記載の遊技機。
【００４０】
（９）の発明によれば、「前記透明部材は、少なくとも一つの角を有していて、第２緩衝部材が前記透明部材の前記角を被覆している」ので、衝撃や振動が透明部材に直接伝達することを第２緩衝部材で緩和できる。
【００４１】
【発明の実施の形態】
以下に、本発明の実施の形態について図面に基づいて説明する。尚、本実施の形態は、本発明をスロットマシンに適用して説明するが、本発明はこれに限らず、ビデオ遊技機、メダル遊技機、カード遊技機等、各種の遊技機に採用することができる。
【００４２】
次に、スロットマシンの構成を説明する。
【００４３】
図１はスロットマシン１の斜視図である。スロットマシン１は、キャビネットとなる筐体２の開口部にドアー（フロントドアー）３が例えば、ヒンジ機構で開閉自在に設けられている。また、筐体２の上部にトップフレーム４が取り付けられている。トップフレーム４の正面には化粧パネル板が施されている。
【００４４】
遊技情報を表示する液晶ディスプレイ５はドアー３に設置される。液晶ディスプレイ５の主構成品となる液晶ユニット５１は、開口部が形成されているカバー５２で被われている。さらに、液晶ユニット５１を保護するための透明部材５３が液晶ユニット５１の前面に取り付けられている。
【００４５】
ドアー３の正面中央部には突出する形で操作部６が配置されている。操作部６の左側の傾斜面には、各種操作ボタンが配列されると共にメダルを投入するメダル投入口が備えられている。操作部６の右側には、筐体２内に収納される紙幣識別機（ビルバリデータ）に紙幣を案内するための紙幣案内部が備えられている。
【００４６】
操作部６の下部には、ドアー３と開閉自在に連結する扉体７が設けられている。扉体７には化粧パネル板が施されている。扉体７の下部であって、ドアー３の底部にはメダルを収容するメダル受け皿３０が形成されている。
【００４７】
次に、液晶ディスプレイ５の構成を図２により説明する。図２は液晶ディスプレイ５の斜視分解組立図である。
【００４８】
図２の実施の形態において、液晶ユニット５１は表示部と枠板で一体に矩形に形成されており、この液晶ユニット５１の側面にＬ字状の第１緩衝部材５４が複数個接触するように取り付けられる。液晶ユニット５１の側面には矩形の窪み５１Ａが形成されており、一方、第１緩衝部材５４には矩形の窪み５１Ａに対応した四角形の突起部５４Ａが形成されている。第１緩衝部材５４は天然ゴム又はクロロプレンラバーなどの合成ゴムで組成されており、窪み５１Ａに突起部５４Ａが弾性をもって挿入される。
【００４９】
そして、このようにユニットとして組み立てられた第１緩衝部材５４つき液晶ユニット５１を、後述する枠体３１の凹部３１Ａに挿入する際に、液晶ユニット５１又は枠体３１の製作誤差に対して第１緩衝部材５４で前記誤差を吸収して組み立てることができる。
【００５０】
なお、図２の実施の形態においては、液晶ユニット５１における長手方向の側面に二対、短手方向の側面に一対、合計６個の第１緩衝部材５４を配置したが、液晶ユニット５１の大きさや重量に対応して第１緩衝部材５４の取り付け個数を増減したり、第１緩衝部材５４の取り付け間隔を変えるなど適正配置も可能である。
【００５１】
一方、透明部材５３は矩形の板であり、透明部材５３における四隅の角に三角形状の第２緩衝部材５５が取り付けられる。透明部材５３は、安価に部材が入手できるガラス板又は、スイッチの機能を付加することができるタッチパネルを使用する。第２緩衝部材５５は天然ゴム又はクロロプレンラバーなどの合成ゴムで組成されている。第２緩衝部材５５は透明部材５３の板厚相当分開口しており、透明部材５３における四隅の角を被覆する。
【００５２】
このように、透明部材５３の四隅に第２緩衝部材５５を取り付けるようにしたのは、組み立て容易性を考慮したことによる。すなわち、ゴムである第２緩衝部材５５は密着性がよく、第２緩衝部材５５つき透明部材５３をユニットとして予め組み立てておき、次の組み立て工程となる液晶ディスプレイ５での組み立てが容易となる。
【００５３】
次に、液晶ディスプレイ５の取り付け構造における実施の形態を図３により説明する。図３は、液晶ディスプレイ５の部分断面組立図である。
【００５４】
図３において、ドアー３の構成品となる枠体３１は、液晶ユニット５１をはめ込むための凹部３１Ａが形成されており、第１緩衝部材５４は液晶ユニット５１と枠体３１内壁との間に配置されている。凹部３１Ａは、液晶ユニット５１の裏面が目視できるように開口部を形成してもよい。
【００５５】
また、透明部材５３は、図２で示されたように透明部材５３の角に第２緩衝部材５５を被覆した状態で、液晶ユニット５１の前面に配置する。そして、カバー５２が枠体３１にねじ３３などの締結具で固定されることにより、枠体３１とカバー５２で液晶ユニット５１と透明部材５３を弾性支持することができる。
【００５６】
なお、カバー５２における透明部材５３との対向面（枠体３１への取り付け面）には予め、防水ゴム５６が全周に亘り埋設されており、この防水ゴム５６は本来の防水機能の他に、透明部材５３に対する緩衝機能も働いている。
【００５７】
また、図４に示されるように、図３における枠体３１は、ドアー３のメインフレーム３２と溶接により固定してもよく、枠体３１とメインフレーム３２を一体に成形してもよい。このように、枠体３１とメインフレーム３２を構造化することにより、固定ドアー自体の重量や外部からの力によってその形状が、捩れたり、歪んだりに抗しているのである。そして、板金である枠体３１を凹字状に形成したのは、液晶ユニット５１を保持するためばかりではなく、曲げ個所を多くして構造力学的にも曲げ応力や捩りに抗するように考慮したことにある。
【００５８】
【発明の効果】
本発明によれば、遊技機におけるドアーは、液晶ユニットと、前記液晶ユニットを保持している枠体と、前記液晶ユニット及び前記枠体に接触している第１緩衝部材と、を備えている。さらに、前記第１緩衝部材は、前記液晶ユニットと前記枠体との間に配置されているので、ドアーを開閉するときの衝撃力によるエネルギーを第１緩衝部材で吸収して液晶ユニットに伝わるのを緩和できる。そして、液晶ユニットの破損を防止することができる。
【図面の簡単な説明】
【図１】本発明におけるスロットマシンの斜視図である。
【図２】本発明における液晶ディスプレイの斜視分解組立図である。
【図３】本発明における液晶ディスプレイの部分断面組立図である。
【図４】本発明における枠板とメインフレームの関係図である。
【図５】従来の表示部の要部断面図である。
【符号の説明】
１  スロットマシン
２  筐体
３  ドアー
４  トップフレーム
５  液晶ディスプレイ
６  操作部
７  扉体
３０  メダル受け皿
３１  枠体
３１Ａ  凹部
３２  メインフレーム
３３  ねじ
５１  液晶ユニット
５２  カバー
５３  透明部材
５４  第１緩衝部材
５４Ａ  突起部
５５  第２緩衝部材
５６  防水ゴム
【図１】
2004223170.tif 000003
【図２】
2004223170.tif 000004
【図３】
2004223170.tif 000005
【図４】
2004223170.tif 000006
【図５】
2004223170.tif 000007